(57)【要約】      （修正有）【課題】枕体の中間部に耳逃がし部を形成してなるから、枕体に頭をのせたとき、耳は耳逃がし部内に入り、このため、頭の重さにより耳が潰れることが無くなり、中耳炎、外耳炎等の罹患者にあっては圧迫による耳の痛みを回避することができ、使用の快適性を高めることができ、又、耳が塞がれないので枕面により遮音されることがなく、就寝時においても、外部の音が聞こえ易くなり、難聴者に適する枕を提供する。【解決手段】枕体１の中間部に耳逃がし部５・６・７を形成してなり、上記枕体は台座部２及びクッション部３からなり、クッション部に孔状の耳逃がし部６を形成してなり、台座部２は上面部２ａ、折返部２ｂ及び下面部２ｃからなる側面横Ｕ状に形成され、台座部の上面部に孔状の耳逃がし部５を形成してなる。【選択図】        図２
2004181042.tif 000002
【特許請求の範囲】
【請求項１】
枕体の中間部に耳逃がし部を形成してなることを特徴とする枕。
【請求項２】
上記枕体は台座部及びクッション部からなり、該クッション部に孔状の耳逃がし部を形成してなることを特徴とする請求項１記載の枕。
【請求項３】
上記台座部は上面部、折返部及び下面部からなる側面横Ｕ状に形成され、該台座部の該上面部に孔状の耳逃がし部を形成してなることを特徴とする請求項１又は２記載の枕。
【請求項４】
上記台座部は上面部、側面部及び底面部からなる空洞箱状に形成され、該台座部の上面部に孔状の耳逃がし部を形成し、該側面部に通孔部を形成してなることを特徴とする請求項１又は２記載の枕。
【請求項５】
上記耳逃がし部と上記通孔部との間に隔壁体により該通孔部に向けて次第に拡開する連通路を形成してなることを特徴とする請求項１又は２記載の枕。
【発明の詳細な説明】
【０００１】
【発明の属する技術分野】
本発明は例えば就寝中の耳朶の圧迫を防いで、耳の形状を損なうことを防ぐことができ、特に、中耳炎、外耳炎等の罹患者や難聴者に適して用いられる枕に関するものである。
【０００２】
【従来の技術】
【０００３】
【特許文献】
実用新案登録第２５２０８９４号公報
【０００４】
従来、この種の枕として、例えば袋状の皮体内に合成樹脂製のクッション材やそば殻を内装した構造のものが知られている。
【０００５】
【発明が解決しようとする課題】
しかしながら上記従来構造の場合、例えば、就寝中は耳朶が枕面に当接して頭の重さにより耳が潰れ、耳朶の形状を損なったり、又、中耳炎、外耳炎等の罹患者にあっては、圧迫により耳に痛みを感じさせたり、又、難聴者にあっては、枕面により耳が塞がれるので、就寝時には音が聞こえないことがあるという不都合を有している。
【０００６】
【課題を解決するための手段】
本発明はこのような不都合を解決することを目的とするもので、本発明のうちで、請求項１記載の発明は、枕体の中間部に耳逃がし部を形成してなることを特徴とする枕にある。
【０００７】
又、請求項２記載の発明は、上記枕体は台座部及びクッション部からなり、該クッション部に孔状の耳逃がし部を形成してなることを特徴とするものであり、又、請求項３記載の発明は、上記台座部は上面部、折返部及び下面部からなる側面横Ｕ状に形成され、該台座部の該上面部に孔状の耳逃がし部を形成してなることを特徴とするものである。
【０００８】
又、請求項４記載の発明は、上記台座部は上面部、側面部及び底面部からなる空洞箱状に形成され、該台座部の上面部に孔状の耳逃がし部を形成し、該側面部に通孔部を形成してなることを特徴とするものであり、又、請求項５記載の発明は、上記耳逃がし部と上記通孔部との間に隔壁体により該通孔部に向けて次第に拡開する連通路を形成してなることを特徴とするものである。
【０００９】
【発明の実施の形態】
図１乃至７図は本発明の実施の形態例を示し、図１乃至図３は第一形態例、図４乃至図７は第二形態例である。
【００１０】
図１乃至図３の第一形態例において、１は枕体であって、この場合、台座部２及びクッション部３からなり、クッション部３に取り替え自在に枕カバー４を覆設してなり、かつ、この台座部２は上面部２ａ、折返部２ｂ及び下面部２ｃからなる弾性を有する合成樹脂により側面横Ｕ状に形成され、この台座部２の上面部２ａの中間部に孔状の耳逃がし部５を形成し、上面部２ａの周縁部に掛部２ｄを形成してなり、又、このクッション部３は袋状の布製の皮体３ａ内に合成樹脂材、ビーズ状体や羽毛、繊維綿材、そば殻等のクッション材３ｂを内装し、このクッション部３の中間部に孔状の耳逃がし部６を形成し、クッション部３の周縁部にゴムひも等の弾性紐３ｃを環状に内装し、クッション部３を台座部２の上面部２ａに被せた状態で弾性紐３ｃを掛部２ｄに掛けることによりクッション部３を台座部２に止めるように構成している。尚、枕カバー４を掛けない構造の枕体１とすることもあり、又、枕体１を丸洗いする構造とする場合には、クッション材３ｂとして、合成樹脂材等の速乾性の材料を用いることが望ましい。
【００１１】
又、この枕カバー４は布製にしてクッション部３の上面に取り替え自在に取り付けられ、この枕カバー４の中間部にも孔状の耳逃がし部７を形成している。
【００１２】
この実施の第一形態例は上記構成であるから、枕体１の中間部に耳逃がし部５・６・７を形成してなるから、枕体１に頭をのせたとき、耳は耳逃がし部５内に入り、このため、頭の重さにより耳が潰れることが無くなり、耳朶の形状を損なうことが無く、耳逃がし部５により耳が湿気を帯びることも抑制でき、又、中耳炎、外耳炎等の罹患者にあっては圧迫による耳の痛みを回避することができ、使用の快適性を高めることができ、又、耳が塞がれないので枕面により遮音されることがなく、就寝時においても、外部の音が聞こえ易くなり、難聴者に適する枕を提供することができる。
【００１３】
又、この場合、上記枕体１は台座部２及びクッション部３からなり、クッション部３に孔状の耳逃がし部６を形成してなるから、クッション部３が頭の重みにより凹んでも耳が圧迫されることは無く、又、この場合、上記台座部２は上面部２ａ、折返部２ｂ及び下面部２ｃからなる側面横Ｕ状に形成され、この台座部２の上面部２ａに孔状の耳逃がし部５を形成してなるから、台座部２の上面部２ａに折返部２ｂにより適度なクッション性を付与することができるとともに外部の音を一層良好に聞こえ易くすることができる。
【００１４】
図４乃至図７の第二形態例は別例構造を示し、この場合、上記台座部２は上面部２ｅ、側面部２ｆ及び底面部２ｇからなる空洞箱状に形成され、この台座部２の上面部２ｅに孔状の耳逃がし部５を形成し、側面部２ｆに通孔部２ｈを形成し、更に、上記耳逃がし部５と上記通孔部２ｈとの間に隔壁体２ｉにより通孔部２ｈに向けて次第に拡開する連通路Ｍを形成して構成し、この台座部２の上面部２ｅにクッション部３を挿入孔８ａ及び挿通ピン８ｂからなる止着部８により止着し、クッション部３に取り替え自在に枕カバー４を覆設して構成している。
【００１５】
この実施の第二形態例にあっては、上記台座部２は上面部２ｅ、側面部２ｆ及び底面部２ｇからなる空洞箱状に形成され、この台座部２の上面部２ｅに孔状の耳逃がし部５を形成し、側面部２ｆに通孔部２ｈを形成しているので、台座部２を安定に載置することができると共に耳逃がし部５及び通孔部２ｈにより外部の音を良好に聞くことができ、又、この場合、耳逃がし部５と上記通孔部２ｈとの間に隔壁体２ｉにより通孔部２ｈに向けて次第に拡開する連通路Ｍを形成してなるから、次第に拡開する連通路Ｍにより集音作用を得ることができ、外部の音を一層良好に聞こえ易くすることができる。
【００１６】
尚、本発明は上記実施の形態例に限られるものではなく、枕体１の構造や形態、耳逃がし部５・６・７の形状、クッション部３の材質、構造等は適宜変更して設計され、例えば、枕カバーを掛けない構造の枕体とすることもある。
【００１７】
【発明の効果】
本発明は上述の如く、請求項１記載の発明にあっては、枕体の中間部に耳逃がし部を形成してなるから、枕体に頭をのせたとき、耳は耳逃がし部内に入り、このため、頭の重さにより耳が潰れることが無くなり、耳朶の形状を損なうことが無く、又、中耳炎、外耳炎等の罹患者にあっては圧迫による耳の痛みを回避することができ、使用の快適性を高めることができ、又、耳が塞がれないので枕面により遮音されることがなく、就寝時においても、外部の音が聞こえ易くなり、難聴者に適する枕を提供することができる。
【００１８】
又、請求項２記載の発明にあっては、上記枕体は台座部及びクッション部からなり、クッション部に孔状の耳逃がし部を形成してなるから、クッション部が頭の重みにより凹んでも耳が圧迫されることは無く、又、請求項３記載の発明にあっては、上記台座部は上面部、折返部及び下面部からなる側面横Ｕ状に形成され、この台座部の上面部に孔状の耳逃がし部を形成してなるから、台座部の上面部に折返部により適度なクッション性を付与することができるとともに外部の音を一層良好に聞こえ易くすることができる。
【００１９】
又、請求項４記載の発明にあっては、上記台座部は上面部、側面部及び底面部からなる空洞箱状に形成され、この台座部の上面部に孔状の耳逃がし部を形成し、側面部に通孔部を形成しているので、台座部を安定に載置することができると共に耳逃がし部及び通孔部により外部の音を良好に聞くことができ、又、請求項５記載の発明にあっては、耳逃がし部と上記通孔部との間に隔壁体により通孔部に向けて次第に拡開する連通路を形成してなるから、次第に拡開する連通路により集音作用を得ることができ、外部の音を一層良好に聞こえ易くすることができる。
【００２０】
以上の如く、所期の目的を充分達成することができる。
【図面の簡単な説明】
【図１】本発明の実施の第一形態例の全体斜視図である。
【図２】本発明の実施第一の形態例の分離斜視図である。
【図３】本発明の実施の第一形態例の断面図である。
【図４】本発明の実施の第二形態例の全体斜視図である。
【図５】本発明の実施の第二形態例の分離斜視図である。
【図６】本発明の実施の第二形態例の平面図である。
【図７】本発明の実施の第二形態例の断面図である。
【符号の説明】
１  枕体
２  台座部
２ａ  上面部
２ｂ  折返部
２ｃ  下面部
２ｄ  掛部
２ｅ  上面部
２ｆ  側面部
２ｇ  底面部
２ｈ  通孔部
２ｉ  隔壁体
３  クッション部
３ａ  皮体
３ｂ  クッション材
３ｃ  弾性紐
４  枕カバー
５  耳逃がし部
６  耳逃がし部
７  耳逃がし部
８  止着部
８ａ  挿入孔
８ｂ  挿通ピン
【図１】
2004181042.tif 000003
【図２】
2004181042.tif 000004
【図３】
2004181042.tif 000005
【図４】
2004181042.tif 000006
【図５】
2004181042.tif 000007
【図６】
2004181042.tif 000008
【図７】
2004181042.tif 000009